(57)【要約】【課題】安価な構成で、洗浄性能を落とすことなく、食器類のセット性に優れた食器収納用カゴを提供する。【解決手段】食器類１０を収納するカゴ部１６ａと、食器洗い機１に設けた棒状部材１５で摺動自在に支持される支持部材１７を備えたもので、従来のように、食器洗い機１の洗浄槽１ｂの前後方向に長く大きく、幅の広いレールを設けなくても、棒状部材１５を用いるという簡単でかつ安価な構成で、食器収納用カゴ１６を摺動自在に移動できるので、食器収納用カゴ１６の奥部への食器類１０の収納が容易になり、食器類１０のセット性が向上すると共に、食器収納用カゴ１６を摺動自在に支持する部材が棒状部材１５で形成されているので、それを洗浄槽１ｂの中央付近に取り付けても、洗浄水をブロックすることがなく、洗浄性能を低下させることもない。【選択図】図１
2007130124.tif 000002
【特許請求の範囲】
【請求項１】
食器類を収納するカゴ部と、食器洗い機に設けた棒状部材で摺動自在に支持される支持部材を備えた食器収納用カゴ。
【請求項２】
支持部材に、棒状部材に摺動自在に係合する開口部を設けた請求項１に記載の食器収納用カゴ。
【請求項３】
開口部に、前記開口部を棒状部材に爪嵌合させるための爪部を設けた請求項２に記載の食器収納用カゴ。
【請求項４】
カゴ部と支持部材とを樹脂で一体に形成した請求項１〜３のいずれか１項に記載の食器収納用カゴ。
【請求項５】
食器類を洗浄する洗浄槽と、請求項１〜４のいずれか１項に記載の食器収納用カゴと、前記洗浄槽内の前後方向に設けられ、前記食器収納用カゴを摺動自在に支持する棒状部材を備えた食器洗い機。
【発明の詳細な説明】
【技術分野】
【０００１】
本発明は、食器類を収納する食器収納用カゴおよび、食器収納用カゴに収納された食器類に洗浄水を噴射して洗浄する食器洗い機に関するものである。
【背景技術】
【０００２】
従来の一般的な食器収納用カゴ及びそれを用いた食器洗い乾燥機として、図３、４に示すようなものがあった（例えば、特許文献１参照）。
【０００３】
図３、４は、上記特許文献１に記載された食器洗い機の側断面図と正面図である。
【０００４】
図３、４において、従来の食器洗い機１は、前面に開口部１ａをもつ洗浄槽１ｂと、開閉可能な扉２を有し、洗浄槽１ｂの底部中央には、洗浄水を噴射するノズル３が回転自在に設けられ、さらに洗浄槽１ｂ内に、食器収容用の上段カゴ４と下段カゴ５とが設けられている。扉２を開けているときには、下段カゴ５は、扉２と洗浄槽１ｂとの間を前後方向に引き出し移動可能である。上段カゴ４は、洗浄槽１ｂ内の壁面の前後方向に設けられた長く大きいレール部６によって、前後方向に移動自在に支持されている。
【０００５】
また、下段カゴ５上の中央付近に小物入れ７が固定され、洗浄槽１ｂの底部には洗浄水をお湯にするときなどに使用されるヒータ８が、洗浄槽１ｂの下部の外側に、洗浄ポンプ９がそれぞれ設けられている。なお、食器類１０は、上段カゴ４、下段カゴ５にセットされ、小物入れ７にスプーン、フォーク等のカトラリーの小物類１１がセットされ、洗浄槽１ｂ内の下部には排水口１２が設けられている。
【０００６】
また、図４に示すように、食器類１０をセットした上段カゴ４は、数ｋｇ有り、重いので、引き出し易くするために、上段カゴ４にはローラ１３が回転自在に設けられ、レール部６上を転がるように構成されている。レール部６の端にはローラ１３の落下防止のガイド１４が設けられている。本図では、レール部６は、洗浄槽１ｂの右端と洗浄槽１の中央付近にそれぞれ設けられている。また、下段カゴ５にも上段カゴ４と同様に、ローラ１３が回転自在に設けられ、レール部６上を転がるように構成されている。下段カゴ５のレール部６の端にはローラ１３の落下防止のガイド１４が設けられている。
【０００７】
ここで食器洗い機の動作について説明する。先ず、扉２を開いて扉２上に下段カゴ５を引き出して食器類１０と小物入れ７に小物類１１をセットする動作と、上段カゴ４を前方に引き出して食器類１０をセットする動作を行う。そして、洗浄槽１ｂ内の洗浄水はヒータ８によって温水化され、洗浄ポンプ９にて洗浄槽１ｂ内の排水口１２から吸い込まれ、ノズル３に圧送され、ノズル３により勢いよく食器類１０、小物類１１に噴射される。なお、ノズル３は回転しながら、洗浄水を噴射する。このようにして上段カゴ４、下段カゴ５にセットされた食器類１０、小物入れ７にセットされた小物類１１を洗浄するものである。
【特許文献１】特開２００４−３２１２８３号公報
【発明の開示】
【発明が解決しようとする課題】
【０００８】
近年、食器容量の大容量化のため、上段カゴ４、下段カゴ５（以下「カゴ」という）の大型化が進んでいる。そのため、使用者がカゴに食器類をセットするとき、手が届き難いので、カゴの手前に比べ、奥側への食器類１０のセットはし難いという問題を有していた。そのため、上記従来の食器洗い機では、カゴを引き出す構成とし、その手段として、洗浄槽１ｂ内にレール部６を設け、カゴを手前に引き出せるようにしていた。しかしながら、上記従来のカゴの構成では、カゴを手前に引き出すために、レール部６を前後方向に長く取る必要があり、しかも、洗浄槽１ｂの中央付近にも設ける場合が有り、そのため、レール部６が、洗浄水をブロックし、洗浄性能が低下するという課題があった。
【０００９】
また、食器類１０をセットしたカゴは数ｋｇ有り重いので、引き出し易くするために、カゴにローラ１３が設けられ、そのローラ１３がレール部６上を転がるように構成し、そのローラ１３の落下を防止するガイド１４もレール部６に設けられていたため、レール部６の幅も一層広くとる必要があり、そのため、洗浄槽１ｂに設けたレール部６が、より一層洗浄水をブロックしやすくなり、さらに洗浄性能を低下させるという課題があった。
【００１０】
本発明は、上記従来の課題を解決するもので、簡単かつ安価な構成で、洗浄性能を低下させることなく、食器類の収納が容易な食器収納用カゴと、食器洗い機を提供することを目的としている。
【課題を解決するための手段】
【００１１】
上記従来の課題を解決するために、本発明の食器収納用カゴは、食器類を収納するカゴ部と、食器洗い機に設けた棒状部材で摺動自在に支持される支持部材を備えたもので、従来のように、食器洗い機の洗浄槽の前後方向に長く大きく、幅の広いレールを設けなくても、棒状部材等を用いるという簡単でかつ安価な構成で、食器収納用カゴを摺動自在に移動できるので、食器収納用カゴの奥部への食器類の収納が容易になり、食器類のセット性が向上すると共に、食器収納用カゴを摺動自在に支持する部材が棒状部材で形成されているので、それを洗浄槽の中央付近に取り付けても、洗浄水をブロックすることがなく、洗浄性能を低下させることもない。
【００１２】
また、本発明の食器洗い機は、食器類を洗浄する洗浄槽と、請求項１〜４のいずれか１項に記載の食器収納用カゴと、前記洗浄槽内の前後方向に設けられ、前記食器収納用カゴを摺動自在に支持する棒状部材を備えたもので、食器類の食器収納用カゴへの収納が容易でしかも食器類の洗浄性能に優れた食器洗い機を提供することができる。
【発明の効果】
【００１３】
本発明の食器収納用カゴは、簡単かつ安価な構成で、洗浄性能を低下させることなく、食器類の収納がきわめて容易である。
【発明を実施するための最良の形態】
【００１４】
第１の発明は、食器類を収納するカゴ部と、食器洗い機に設けた棒状部材で摺動自在に支持される支持部材を備えたもので、従来のように、食器洗い機の洗浄槽の前後方向に長く大きく、幅の広いレールを設けなくても、棒状部材等を用いるという簡単でかつ安価な構成で、食器収納用カゴを摺動自在に移動できるので、食器収納用カゴの奥部への食器類の収納が容易になり、食器類のセット性が向上すると共に、食器収納用カゴを摺動自在に支持する部材が棒状部材で形成されているので、それを洗浄槽の中央付近に取り付けても、洗浄水をブロックすることがなく、洗浄性能を低下させることもない。
【００１５】
第２の発明は、特に、第１の発明の支持部材に、棒状部材に摺動自在に係合する開口部を設けたもので、開口部を介して、食器収納用カゴを棒状部材に容易に取り付けたり外したりできるので、使用勝手の良い食器収納用カゴを提供することができる。
【００１６】
第３の発明は、特に、第２の発明の開口部に、前記開口部を棒状部材に爪嵌合させるための爪部を設けたもので簡単な構成で、棒状部材と支持部材の開口部との係合、取り外しが容易にできるものである。
【００１７】
第４の発明は、特に、第１〜３のいずれか一つの発明のカゴ部と支持部材とを樹脂で一体に形成したもので、製造コスト、組立てコストの削減ができるものである。
【００１８】
第５の発明は、食器類を洗浄する洗浄槽と、請求項１〜４のいずれか１項に記載の食器収納用カゴと、前記洗浄槽内の前後方向に設けられ、前記食器収納用カゴを摺動自在に支持する棒状部材を備えたもので、食器類の食器収納用カゴへの収納が容易でしかも食器類の洗浄性能に優れた食器洗い機を提供することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における食器収納用カゴを配した食器洗い機の側断面図、図２は、同食器洗い機の正面図及び食器収納用カゴの要部斜視図である。尚、従来例と同一部分については同一符号を付してその説明を省略する。
【００２１】
本実施の形態における食器収納用カゴ１６は、食器類１０を収納すると共に樹脂で形成されたカゴ部１６ａと、カゴ部１６ａの下面の両側のそれぞれに一体に又は一体的に一対設けられた支持部材１７から構成されている。
【００２２】
食器収納用カゴ１６の下面の両側にそれぞれ設けた一対の支持部材１７は、その前後方向が同一直線上になるように設けられていると共に、食器洗い機の洗浄槽１内の右端と中央付近でそれぞれ前後方向に固定された線材からなる棒状部材１５に係合して支持されるように構成されている。
【００２３】
なお、支持部材１７は、棒状部材１５が挿入される断面略凹形状の開口部１８を有し、さらに開口部１８の開口縁に、棒状部材１５に爪嵌合させるための爪部１９が設けられている。
【００２４】
上記のように構成された食器収納用カゴ１６の使用法について説明する。
【００２５】
棒状部材１５と食器収納用カゴ１６の係合は、支持部材１７の開口部１８を、棒状部材１５に引っ掛けることで行われ、爪部１９により食器収納用カゴ１６と棒状部材１５とが爪嵌合される。以上のようにして、棒状部材１５に対して食器収納用カゴ１６が前後方向に摺動自在となり、食器類１０のセットを容易に行うことができる。
【００２６】
なお、本実施の形態では、洗浄槽１ｂ内の中央付近より左側の食器収納用カゴＡ２０を洗浄槽１に固定しているが、食器収納用カゴ１６同様に摺動自在に設けても良い。
【００２７】
以上のように、本実施に形態によれば、従来のように、洗浄槽１ｂの前後方向に長く大きく、幅の広いレール部６を設けなくても、棒状部材１５を用いるという簡単で安価な構成で、食器収納用カゴ１６を前後方向に摺動自在に設けることができると共に、それにより、食器収納用カゴ１６の奥側への食器類１０のセットがし難いという課題を解決して、食器類１０のセット性を向上させることができる。
【００２８】
また、食器収納用カゴ１６を摺動自在に支持する部材を、従来の幅の広いレール部と異なり棒状部材１５で構成しているので、この部材を洗浄槽１ｂの中央付近に設けても、洗浄水をブロックし、洗浄性能を低下させるという問題を引き起こすこともない。しかも、従来のレール部６の幅に比べ狭く構成できるので、その分、食器収納用カゴ１６の食器類１０を収納するスペースを広く取れるというメリットもある。
【００２９】
また、外形が円の棒状部材１５に支持部材１７を係合させることにより、棒状部材１５と支持部材１７との接触面積が小さくなり、食器収納用カゴ１６の摺動の操作性が悪くなることも無い。また、棒状部材１５と食器収納用カゴ１６の係合は、支持部材１７の断面凹形状の開口部１８を、棒状部材１５の部分にかけ、爪部１９による爪嵌合により行う構成にしたことにより、食器収納用カゴ１６の棒状部材１５からの取付、取外しが簡単な行えるものである。
【００３０】
尚、食器収納用カゴ１６と支持部材１７とを樹脂で一体に形成するようにすれば、製造コスト、組立てコストを更に削減することができる。
【産業上の利用可能性】
【００３１】
以上のように本発明に係る食器収納用カゴは、安価な構成で、洗浄性能を落とすことなく、食器類のセット性に優れたもので、家庭用、業務用食器洗い機に広く適用できる。
【図面の簡単な説明】
【００３２】
【図１】本発明の実施の形態１における食器収納用カゴを配した食器洗い機の断面図
【図２】（ａ）同食器洗い機の正面図（ｂ）同食器収納用カゴの要部斜視図
【図３】従来の食器収納用のカゴを配した食器洗い機の側断面図
【図４】同食器洗い機の正面図
【符号の説明】
【００３３】
１  食器洗い機
１ｂ  洗浄槽
１０  食器類
１５  棒状部材
１６  食器収納用カゴ
１６ａ  カゴ部
１７  支持部材
１８  開口部
１９  爪部
【図１】
2007130124.tif 000003
【図２】
2007130124.tif 000004
【図３】
2007130124.tif 000005
【図４】
2007130124.tif 000006